(57)【要約】【課題】シーツなどの寝具のずれやしわが生じることを有効に防止しつつ、ベッドメイキングをより容易に効率的になし得、さらにベッドメイキングの回数を大幅に削減することができる寝具補助具が望まれていた。【解決手段】本発明に係る寝具補助具は、長尺の帯状体又は紐状体と短尺の帯状体又は紐状体を備える寝具補助具であって、短尺の帯状体又は紐状体を、長尺の帯状体又は紐状体の長手方向にスライド可能なように連結し、長尺の帯状体又は紐状体に長さ調節機構を１つのみ設け、長尺の帯状体又は紐状体及び短尺の帯状体又は紐状体の各先端部に挟持具を設けたことを特徴とする。【選択図】図１
2011092376.tif 000002
【特許請求の範囲】
【請求項１】
長尺の帯状体又は紐状体と短尺の帯状体又は紐状体を備える寝具補助具であって、前記短尺の帯状体又は紐状体を、前記長尺の帯状体又は紐状体の長手方向にスライド可能なように連結し、前記長尺の帯状体又は紐状体に長さ調節機構を１つのみ設け、前記長尺の帯状体又は紐状体及び前記短尺の帯状体又は紐状体の各先端部に挟持具を設けたことを特徴とする寝具補助具。
【請求項２】
前記挟持具の挟持部にゴム体を設けたことを特徴とする請求項１に記載の寝具補助具。
【発明の詳細な説明】
【技術分野】
【０００１】
本発明は、シーツなどの寝具のずれやしわなどを防止する寝具補助具に係り、更に詳しくは、シーツなどの寝具にずれやしわが生じることを有効に防止しつつ、ベッドメイキングをより容易に効率的になし得、さらにベッドメイキングの回数を大幅に削減することができる寝具補助具に関するものである。
【背景技術】
【０００２】
従来から、病院や家庭などにおいて使用されるベッド、ふとんなどには、使用中にシーツなどの寝具がずれたりやしわが生じたりすることを防止するため、ふとんの裏面からシーツなどの寝具の端部を引っ張って留めることができる寝具補助具が用いられており、例えば、特許文献１や特許文献２のような寝具補助具が開発されている。
【０００３】
また、簡易的な方法として、シーツなどの寝具の端部をふとんの裏面において結ぶことによって、ずれやしわを防止することも行われている。
【先行技術文献】
【特許文献】
【０００４】
【特許文献１】登録実用新案第３０６２５５７号公報
【特許文献２】実開平１−８１９６９号公報
【発明の概要】
【発明が解決しようとする課題】
【０００５】
しかしながら、特許文献１に記載の寝具補助具は一本の帯状物であることから、特許文献１の図２や図４に示す通り、シーツなどの寝具をふとんの裏面においてふとんの横方向にしか引っ張って留めることができない。従って、引っ張って留める方向と異なる方向に発生するシーツなどのずれやしわを有効に防止することができないという課題があった。
【０００６】
一方、特許文献２に記載の寝具補助具は、形状がＴ字状をしていることから、シーツなどの寝具をふとんの裏面において、ふとんの横方向からだけではなく縦方向からも引っ張って留めることができることから、シーツなどの寝具のずれやしわをより有効に防止することができるという長所を有している。
【０００７】
しかしながら、特許文献２に記載の寝具補助具は、Ｔ字状をなしている長尺の帯状体と短尺の帯状体がＴ字状に縫合されている構造になっていることから、当該寝具補助具をふとんの裏面に取り付けるためには、図４に示すようにして行わなければならず、ベッドメイキングに長時間を要するという課題があった。
【０００８】
すなわち、まず、図４（ａ）に示すように、寝具補助具１０の長尺紐状物２０の端部に取り付けられている一方のクリップ５０ａを、ふとん９の裏面に回り込ませたシーツ１１などの寝具に挟持させる。
次に、図４（ｂ）に示すように、長尺紐状物２０の端部に取り付けられている他方のクリップ５０ｂを、シーツ１１などの寝具に図４（ａ）で挟持した位置と対向する位置で、かつ、長尺紐状物２０がふとん９の横方向に位置するように取り付ける。
次に、図４（ｃ）に示すように、図４（ａ）で挟持したクリップ５０ａ側に取り付けられているバックル４０ａを調整することによって、長尺紐状物２０の左半分のたるみを取りつつ、短尺紐状物３０がふとん９の横方向の中心部に位置するようにする。
次に、図４（ｄ）に示すように、図４（ｂ）で挟持したクリップ５０ｂ側に取り付けられているバックル４０ｂを調整することによって、長尺紐状物２０の右半分のたるみを取りつつ、短尺紐状物３０がふとん９の横方向の中心部からずれないようにするとともに、シーツ１１などの寝具をふとん９の裏面においてふとん９の横方向に引っ張って留める。
次に、図４（ｅ）に示すように、短尺紐状物３０の先端に取り付けられているクリップ５０ｃを、シーツ１１などの寝具に、短尺紐状物３０がふとん９の縦方向に位置するように取り付ける。
最後に、図４（ｆ）に示すように、短尺紐状物３０の先端部に取り付けられているバックル４０ｃを調節して、短尺紐状物３０のたるみを取りつつ、シーツ１１などの寝具をふとん９の裏面においてふとん９の縦方向に引っ張って留めることによって、寝具補助具１０の取り付けを完了する。
【０００９】
従って、特許文献２に記載の寝具補助具をふとんに取り付けるためには、上記の通り、図４（ａ）〜（ｄ）の作業時において、長尺紐状物２０の左半分と右半分のたるみを取るために、作業者がベッドの左右に移動したり、あるいは、体を伸ばしたりして長尺紐状物に取り付けられている両方のバックルの調節をしなければならず、ベッドメイキングに長時間を要するという課題があった。
【００１０】
また、寝具補助具においては、シーツなどの寝具を留める際にあまり強く引っ張って留めると、体をベッドに横たえたときにシーツがわずかにたわんで体を受け止めることができなくなり、逆に張られたシーツによって体が押し返されるようになり、体が受ける圧力（体圧）が高くなるという現象が起こる。そして、特に被用者が寝たきりの患者である場合には、ベッドから受ける圧力（体圧）によって患者の体に褥瘡などを起こしてしまうことが知られている。
従って、寝具補助具においては、シーツがわずかにたわんで体を受け止めることができるように、適度な張力で引っ張って留める機能が備わっている必要がある。
しかしながら、特許文献２に記載の寝具補助具は、その張力の調整をするためにも、上記の通り作業者がベッドの左右に移動するなどをしなければならず、この点からもベッドメイキングに長時間を要するという課題があった。
【００１１】
本発明は、上記した従来の問題点に鑑みてなされたものであって、シーツなどの寝具のずれやしわが生じることを有効に防止しつつ、ベッドメイキングをより容易に効率的になし得、さらにベッドメイキングの回数を大幅に削減することができる寝具補助具の提供を目的とする。
【課題を解決するための手段】
【００１２】
上記目的を達成するために、本発明の請求項１に係る寝具補助具は、長尺の帯状体又は紐状体と短尺の帯状体又は紐状体を備える寝具補助具であって、短尺の帯状体又は紐状体を、長尺の帯状体又は紐状体の長手方向にスライド可能なように連結し、長尺の帯状体又は紐状体に長さ調節機構を１つのみ設け、長尺の帯状体又は紐状体及び短尺の帯状体又は紐状体の各先端部に挟持具を設けた構成にしてある。
【００１３】
本発明の請求項２に係る寝具補助具は、挟持具の挟持部にゴム体を設けた構成にしてある。
【発明の効果】
【００１４】
本発明の請求項１に係る寝具補助具によれば、長尺の帯状体又は紐状体と短尺の帯状体又は紐状体を備える寝具補助具であって、短尺の帯状体又は紐状体を、長尺の帯状体又は紐状体の長手方向にスライド可能なように連結し、長尺の帯状体又は紐状体に長さ調節機構を１つのみ設け、長尺の帯状体又は紐状体及び短尺の帯状体又は紐状体の各先端部に挟持具を設けた構成にしているので、シーツなどの寝具のずれやしわが生じることを防止しつつ、ベッドメイキングの際に作業者がベッドの左右に移動したり、あるいは、体を伸ばしたりして、長尺紐状物に取り付けられているバックルの調節をすることがなくなり、ベッドメイキングをより容易に効率的に行うことができ、さらにベッドメイキングの回数を大幅に削減することができる。
【００１５】
本発明の請求項２に係る寝具補助具によれば、挟持具の挟持部にゴム体を設けた構成にしているので、シーツなどの寝具を強力に挟持することができ、より効果的にシーツなどの寝具のずれやしわが生じることを防止することができる。
【００１６】
また、本発明の請求項１および請求項２に係る寝具補助具によれば、寝たきりなど患者がベッドに寝ている状態であっても、ベッドメイキングを容易に効率的に行うことができる。
【図面の簡単な説明】
【００１７】
【図１】本発明の寝具補助具を示す斜視図である。
【図２】本発明の寝具補助具の使用手順を示す模式図である。
【図３】本発明の寝具補助具をベッドに取り付けた状態を示す模式図である。
【図４】従来の寝具補助具の使用手順を示す模式図である。
【発明を実施するための形態】
【００１８】
本発明の実施形態を図面に基づいて説明する。なお、以下に述べる実施形態は本発明を具体化した一例に過ぎず、本発明の技術的範囲を限定するものでない。
図１は本発明の寝具補助具を示す斜視図である。
【００１９】
本実施形態の寝具補助具１は、長尺の帯状体２と短尺の帯状体３と、長尺の帯状体２に１つのみ設けられた長さ調節機構４と長尺の帯状体２と短尺の帯状体３の各先端に設けられた挟持具５とから構成されている。
短尺の帯状体３の一端には環状部６が形成されており、この環状部６に長尺の帯状体２が挿通され、短尺の帯状体３が長尺の帯状体２の長手方向にスライド可能なように構成されている。
挟持具５の挟持部７にはゴム体８が設けられている。
【００２０】
なお、本実施形態においては、長尺の帯状体２と短尺の帯状体３を約４ｃｍの伸縮自在の帯状体にしているが、材質や形状はこれに限定されるものではなく、シーツなどの寝具をベッドの裏面で引っ張って留めることができれば、紐状体でもよいし、伸縮しない材質のものを用いてもよい。
【００２１】
また、本実施形態においては、短尺の帯状体３の一端に環状部６を形成し、この環状部６に長尺の帯状体２を挿通しているが、短尺の帯状体３が長尺の帯状体２の長手方向にスライド可能なようになっていれば、この形態に限定されるものではない。
【００２２】
また、本実施形態においては、長尺の帯状体２と短尺の帯状体３をそれぞれ一本ずつ用いてＴ字状に構成しているが、長尺の帯状体２と短尺の帯状体３の本数および寝具補助具の形態はこれに限定されるものではなく、Π字状など各種の形態とすることもできる。
【００２３】
また、本実施形態においては、挟持具５の挟持部７にゴム体８を設けているが、シーツなどの寝具を引っ張って留めることができるものであれば、これに限定されるものではなく、スポンジ体やマジックテープ（登録商標）などの各種の材料を用いることができ、ゴム体８を用いる場合でもその形状を種々の形状にすることができる。さらに、シーツなどの寝具を引っ張って留めることができれば、必要に応じて、ゴム体８を設けないこともできる。
【００２４】
さらに、本実施形態においては、短尺の帯状体３には長さ調節機構４を設けていないが、必要に応じて、長さ調節機構４を設けることもできる。
【００２５】
次に、上記のように構成された寝具補助具１を使用する際の動作を説明する。
図２は本発明の寝具補助具の使用手順を示す模式図であり、図３は本発明の寝具補助具をベッドに取り付けた状態を示す模式図である。
【００２６】
まず、ふとん９をベッド１０から持ち上げ、シーツ１１などの寝具をずれやしわが生じないようにふとん９に取り付ける。
【００２７】
次に、図２（ａ）に示すように、ふとん９の裏面のシーツ１１の一端に長尺の帯状体２の一方の挟持具５ａを取り付ける。
【００２８】
次に、図２（ｂ）に示すように、長尺の帯状体２の他方の挟持具５ｂを、図２（ｂ）で挟持した位置と対向する位置で、かつ、長尺の帯状体２がふとん９の横方向に位置するように取り付ける。
【００２９】
次に、図２（ｃ）に示すように、長尺の帯状体２の長さ調節機構４を調節することによって、シーツ１１をふとん９の裏面においてふとん９の横方向に引っ張って留める。
【００３０】
最後に、図２（ｄ）に示すように、短尺の帯状体３の環状部６を長尺の帯状体２上でスライドさせることによって、短尺の帯状体３をふとん９の横方向の中心部に位置するように移動させ、短尺の帯状体３の挟持具５ｃを用いて、シーツ１１をふとん９の裏面においてふとん９の縦方向に引っ張って留める。
【００３１】
以上に示すように、長さ調節機構が長尺の帯状体に１つのみ設けられていることから、一連の作業において、従来の寝具補助具のように作業者がベッドの左右に移動したり、あるいは、体を伸ばしたりして長尺紐状物または短尺紐状物の各先端部に設けられていた各バックルをそれぞれ調節する必要がなく、寝具補助具をすばやく、簡単にふとんの裏面に取り付けることができる。
従って、シーツなどの寝具のずれやしわを有効に防止しつつ、ベッドメイキングをより容易に効率的に行うことができる。
【００３２】
なお、図２においては、先に長尺の帯状体２をシーツ１１に取り付け、その後に短尺の帯状体３をスライドさせてふとん９の横方向の中心部に位置するように調整してシーツ１１に取り付けたが、取り付けの手順はこれに限定されるものではなく、先に短尺の帯状体３をふとん９の横方向の中心部に位置するようにシーツ１１に取り付け、その後に長尺の帯状体２をシーツ１１に取り付けるようにしてもよい。
【００３３】
そして、上記のようにして本発明の寝具補助具を用いたところ、ベッドメイキングの回数を大幅に削減することができた。
具体的には、１日３回のギャッチアップ（食事などのために介護用ベッドなどの背もたれをあげる行為）を行った際、従来の寝具補助具を使用したり、シーツを結んだりせずにシーツを単純にふとんの裏面に折り返してベッドメイキングをしたベッドでは、７〜８回のギャッチアップ毎にベッドメイキングをやり直さなければならなかったのに対し、本発明の寝具補助具を使用した場合には、少なくとも１週間の間はベッドメイキングをする必要がなくなり、ベッドメイキングの回数を大幅に削減することができた。
【００３４】
また、本発明の寝具補助具を使用した場合の被用者が受ける体圧値について、以下の方法によって測定を行った。
具体的には、まず、１）本発明の寝具補助具を使用してベッドメイキングをしたベッド、２）シーツの端部をふとんの裏面において結ぶことによってベッドメイキングをしたベッド、３）寝具補助具を使用したり、シーツを結んだりせずにシーツを単純にふとんの裏面に折り返してベッドメイキングをしたベッド、の３種類のベッドを用意した。
次に、成人男性２０人と成人女性２０人の計４０人に、上記３種類のベッドにそれぞれ仰向けの状態で寝てもらい、その時に左右の肩甲骨にかかる体圧値（データ数８０個＝４０人×２箇所）を、簡易式体圧・ズレ同時測定器（株式会社モンテン製、商品名：プレディア、品番：ＭＥＡ）を用いて測定し、その平均体圧値を比較した。
【００３５】
その結果、１）のベッドにおいては平均体圧値が１６．９６ｍｍＨｇであり、２）のベッドにおいては平均体圧値が１７．６９ｍｍＨｇであり、３）のベッドにおいては平均体圧値が１６．８６ｍｍＨｇであった。
一般的に、体圧値が３２ｍｍＨｇ以下になると毛細血管圧よりも体にかかる圧力が低くなることから褥瘡予防に有効なものとなることが知られているが、上記の通り、本発明の寝具補助具を使用したベッドにおいては平均体圧値が１６．９６ｍｍＨｇと、基準となる３２ｍｍＨｇ以下となることから、シーツが適度な張力で引っ張って留めることができることがわかり、患者が褥瘡などを起こすことがないことを確認することができた。
【産業上の利用可能性】
【００３６】
本発明の寝具補助具は、病院や家庭などにおいて使用されるベッド、ふとんなどに用いることができる。
【符号の説明】
【００３７】
１    寝具補助具
２    長尺の帯状体
３    短尺の帯状体
４    長さ調節機構
５    挟持具
６    環状部
７    挟持部
８    ゴム体
９    ふとん
１０  ベッド
１１  シーツ
【図１】
2011092376.tif 000003
【図２】
2011092376.tif 000004
【図３】
2011092376.tif 000005
【図４】
2011092376.tif 000006